(57)【特許請求の範囲】
【請求項１】
互いに離隔されて同一平面の上に配置される少なくとも２つの長方形状の導光板と、
互いに隣接する２つの前記導光板の間に配置され、各々が光を出射する発光面を有し、前記発光面を通じて複数の前記導光板側に前記光を照射する複数の光源と、
前記光を受けて映像を表示する表示パネルと、を含み、
互いに隣接する２つの前記導光板の中で、１つを第１導光板と称し、もう１つを第２導光板と称するとき、
前記第１導光板は第１入光面と第１出光面とを含み、
前記第２導光板は前記第１入光面と対向する第２入光面と第２出光面とを含み、
前記光源の前記複数の発光面は前記第１入光面となる前記第１導光板の第１の辺および前記第２入光面となる前記第２導光板の第２の辺に対して斜めに配置され、
複数の前記光源は、前記第１の辺および前記第２の辺に沿って配置されていることを特徴とする表示装置。
【請求項２】
前記複数の光源は、前記発光面が前記第１入光面に対向する複数の第１光源と、前記発光面が前記第２入光面に対向する複数の第２光源と、を含み、
前記複数の第１光源と前記複数の第２光源とは交互に配置されることを特徴とする請求項１に記載の表示装置。
【請求項３】
前記複数の第１光源の各々と前記第１入光面がなす角度は一定であり、前記複数の第２光源の各々と前記第２入光面がなす角度は一定であることを特徴とする請求項２に記載の表示装置。
【請求項４】
硬化された高分子樹脂を含み、互いに隣接する２つの前記導光板の間の空間に配置され、前記複数の光源を囲み、前記光を前記第１導光板と前記第２導光板とに導く光ガイド部材と、
をさらに含むことを特徴とする請求項１に記載の表示装置。
【請求項５】
前記光ガイド部材に連結され互いに隣接する２つの前記導光板の前記出光面の一部とオーバーラップするカバー部をさらに含むことを特徴とする請求項４に記載の表示装置。
【請求項６】
前記カバー部をカバーし、前記出光面と平行に配置された半透過膜をさらに含むことを特徴とする請求項５に記載の表示装置。
【請求項７】
前記半透過膜は金属膜であることを特徴とする請求項６に記載の表示装置。
【請求項８】
前記表示パネルは映像が表示される表示領域と、前記表示領域を囲み、映像が表示されない非表示領域とからなり、前記複数の光源は平面の上で前記表示領域内に位置することを特徴とする請求項１に記載の表示装置。
【請求項９】
前記複数の光源は各々独立的に駆動される複数の発光ブロックに区分されることを特徴とする請求項１に記載の表示装置。
【請求項１０】
前記複数の光源は、
前記第１入光面に対して０度より大きく６５度以下の角度の前記発光面を有する第１光源と、
前記第２入光面に対して０度より大きく６５度以下の角度の前記発光面を有する第２光源と、
を含むことを特徴とする請求項１に記載の表示装置。
【請求項１１】
互いに離隔されて同一平面の上に配置された複数の導光板と、
互いに隣接する２つの前記導光板の間に配置され、発光面を通じて前記複数の導光板へ光を照射する複数の光源と、
前記光を受けて映像を表示する表示パネルと、を含み、
互いに隣接する２つの前記導光板の中で１つを第１導光板と称し、もう１つを第２導光板と称するとき、
前記第１導光板は第１入光面と第１出光面及び前記第１入光面から突出された複数の第１突起を含み、
前記第２導光板は前記第１入光面と対向する第２入光面と前記第２出光面及び前記第２入光面から突出された複数の第２突起を含み、
前記複数の第１突起と前記複数の第２突起は前記第１及び第２入光面の横方向に交互に配置され、
各前記第１突起は、前記第１入光面に斜めである第１側面と、前記第１入光面に斜めであり、前記第１側面と前記第１入光面とを継ぐ第２側面と、を備え、各前記第２突起は、前記第２入光面に斜めである第３側面と、前記第２入光面に斜めであり、前記第３側面と前記第２入光面を継ぐ第４側面と、を備え、
前記複数の光源は、前記第１側面又は前記第２側面の中で少なくともいずれか一側面に対向する前記発光面を含む複数の第３光源と、
前記第３側面又は前記第４側面との中で少なくともいずれか一側面に対向する前記発光面を含む複数の第４光源を備えることを特徴とする表示装置。
【請求項１２】
互いに隣接する２つの前記導光板の間に配置され、前記複数の光源を囲む光ガイド部材をさらに含むことを特徴とする請求項１１に記載の表示装置。
【請求項１３】
前記光ガイド部材は、互いに隣接する２つの前記導光板の間の空間に配置された本体と、
前記本体に連結され前記第１出光面及び前記第２出光面の一部とオーバーラップするカバー部材とをさらに含むことを特徴とする請求項１２に記載の表示装置。
【請求項１４】
前記カバー部材は、前記出光面に平行に配置された半透過膜をさらに含むことを特徴とする請求項１３に記載の表示装置。
【請求項１５】
前記半透過膜は金属膜であることを特徴とする請求項１４に記載の表示装置。
【請求項１６】
前記表示パネルは映像が表示される表示領域と、前記表示領域を囲み、映像が表示されない非表示領域からなり、前記複数の光源は平面の上で前記表示領域内に位置することを特徴とすることを特徴とする請求項１１に記載の表示装置。
【請求項１７】
前記複数の光源は各々独立的に駆動される複数の発光ブロックで区分されることを特徴とする請求項１１に記載の表示装置。
【発明の詳細な説明】
【技術分野】
【０００１】
本発明は表示装置に関し、より詳細には表示品質を向上させる表示装置に関する。
【背景技術】
【０００２】
光を発生するバックライトアセンブリ及び光を受けて映像を表示する表示パネルを含む表示装置において、バックライトアセンブリで消費される消費電力を減少させ、表示パネルに表示される映像のコントラストを向上させるためにローカル調光方式に駆動される表示装置が開発されている。
【０００３】
ローカル調光方式によれば、表示パネル側に常に同一な光量の光が照射されず、表示される映像によって互に異なる光量の光が表示パネル側に照射される。
【先行技術文献】
【特許文献】
【０００４】
【特許文献１】韓国特許公開第１０−２０１０−０１０９７４０号公報
【発明の概要】
【発明が解決しようとする課題】
【０００５】
本発明の目的は表示品質が向上された表示装置を提供することである。
【課題を解決するための手段】
【０００６】
本発明の一実施形態に係る表示装置は、各々入光面と出光面を有する複数の導光板と、前記導光板側に光を照射する複数の光源と、前記光を受けて映像を表示する表示パネルと、を含む。
【０００７】
前記導光板は長方形状を有し、互いに離隔されて同一平面の上に配置される。前記複数の光源は互いに隣接する２つの導光板の間に配置され、各々が光を出射する発光面を有し、前記発光面を通じて前記導光板側に前記光を照射する。
【０００８】
前記光源の前記発光面は、前記導光板のいずれか一辺に対して斜めに配置される。ここで、前記複数の光源は、前記発光面が前記第１入光面に対向する第１光源と、前記発光面が前記第２入光面に対向する複数の第２光源とを含み、前記第１光源と前記第２光源は互いに交互に配列される。前記光源は各々独立的に駆動される複数の発光ブロックで区分される。
【０００９】
前記表示パネルは映像が表示される表示領域と、前記表示領域を囲み、前記映像が表示されない非表示領域でなされ、前記光源は平面の上で前記表示領域内に位置する。
【００１０】
本発明の他の実施形態に係る表示装置は、互いに隣接する２つの導光板の中で、１つを第１導光板と称し、余りの１つを第２導光板と称するとき、前記第１導光板は第１入光面と第１出光面及び前記第１入光面から突出された複数の第１突起を含み、前記第２導光板は前記第１入光面と対向する第２入光面と、前記第２出光面及び前記第２入光面から突出された複数の第２突起を含む。前記第１突起と前記第２突起とは前記入光面の横方向に交互に配置される。
【発明の効果】
【００１１】
本発明よれば、２次元ローカル調光を実現でき、輝度の均一性が高くなり、暗部欠陥とクロストーク欠陥が防止されて表示品質が向上された表示装置が提供される。
【図面の簡単な説明】
【００１２】
【図１】本発明の第１実施形態に係る表示装置を示す分解斜視図である。
【図２】図１に示した表示装置の光源部を示す斜視図である。
【図３Ａ】一般的な表示装置における複数の導光板と複数の光源との配置にしたがう光分布を示す平面図である。
【図３Ｂ】図１に示した表示装置における複数の導光板と複数の光源の配置にしたがう光分布を示した平面図である。
【図４】本発明の第２実施形態に係る表示装置の一部を示す分解斜視図である。
【図５】本発明の第３実施形態に係る表示装置における複数の光源と複数の導光板を示す平面図である。
【図６】本発明の第４実施形態に係る表示装置における複数の光源と複数の導光板を示す平面図である。
【図７】本発明の第５実施形態に係る表示装置における複数の光源と複数の導光板を示す平面図である。
【図８】本発明の第６実施形態に係る表示装置における複数の光源と複数の導光板を示す平面図である。
【発明を実施するための形態】
【００１３】
本発明は様々な変更を加え、様々な形態を有するので、特定実施形態を図面に例示し、明細書に詳細に説明する。しかし、これは本発明を特定な開示形態に対して限定しようとすることでなく、本発明の思想及び技術範囲に含まれる全ての変更、均等物乃至代替物を含むこととして理解しなければならない。
【００１４】
各図面を説明しながら類似な参照符号を類似な構成要素に対して用いた。添付された図面において、構造物の寸法は本発明を明確に説明するために実際より拡大して示した。第１、第２等の用語は様々な構成要素を説明するために使用されるが、構成要素は用語によって限定されない。用語は１つの構成要素を他の構成要素から区別する目的のみに使用される。例えば、本発明の権利範囲を逸脱せずに第１構成要素は第２構成要素と称され、同様に第２構成要素も第１構成要素と称される。単数の表現は文脈の上に明確に異なるように意味しない限り、複数の表現を含む。
【００１５】
本出願で、「含む」又は「有する」等の用語は明細書の上に記載された特徴、数字、工程、動作、構成要素、部品又はこれらを組合せの存在を指定しようとすることであるので、１つ又はそれ以上の他の特徴や数字、段階、動作、構成要素、部分品又はそれらを組合せたことの存在又は付加可能性を予め排除しないこととして理解しなければならない。また、層、膜、領域、板等の部分が他の部分「上に」あるとする場合、これは他の部分「真上に」ある場合のみでなくその中間にその他の部分がある場合も含む。反対に層、膜、領域、板等の部分が他の部分「真下に」あるとする場合、これは他の部分「直ちに下に」にある場合のみでなくその中間にその他の部分がある場合も含む。
【００１６】
以下、本発明の実施形態を、図面を参照して説明する。
【００１７】
図１は、本発明の第１実施形態に係る表示装置を示す分解斜視図である。図２は、図１の表示装置における光源部を示す斜視図である。
【００１８】
図１を参照すれば、表示装置は表示パネルＰＮＬ、バックライトアセンブリＢＡ、ボトムシャーシＢＣ、及びトップシャーシＴＣを含む。
【００１９】
表示パネルＰＮＬは映像を表示する。表示パネルＰＮＬは受光型表示パネルとして、液晶表示パネル（ｌｉｑｕｉｄ  ｃｒｙｓｔａｌ  ｄｉｓｐｌａｙ  ｐａｎｅｌ）や電気泳動表示パネル（ｅｌｅｃｔｒｏｐｈｏｒｅｔｉｃ  ｄｉｓｐｌａｙ  ｐａｎｅｌ）等の様々な表示パネルであってもよい。本実施形態では液晶表示パネルを例として説明する。
【００２０】
表示パネルＰＮＬは一対の長辺と一対の短辺とを有する長方形の板状に設けられる。表示パネルＰＮＬは第１基板ＳＵＢ１と、前記第１基板ＳＵＢ１に対向される第２基板ＳＵＢ２、及び第１基板ＳＵＢ１と第２基板ＳＵＢ２との間に配置された液晶層（図示せず）を含む。表示パネルＰＮＬは平面の上で見るとき、映像が表示される表示領域ＤＳＰと、表示領域ＤＳＰを囲み、映像が表示されない非表示領域ＮＤＳＰとで構成される。非表示領域ＮＤＳＰはトップシャーシＴＣによってカバーされる。
【００２１】
本発明の一実施形態によれば、第１基板ＳＵＢ１は複数の画素電極（図示せず）及び複数の画素電極と一対一対応して電気的に接続された複数の薄膜トランジスタ（図示せず）を含む。各薄膜トランジスタは対応する画素電極側に供給される駆動信号をスイッチングする。また、第２基板ＳＵＢ２は画素電極と共に液晶の液晶分子の配列を制御する電界を形成する共通電極（図示せず）を含む。表示パネルＰＮＬは液晶層を駆動して前方に映像を表示する役割を果たす。
【００２２】
ここで、説明の便宜上、表示パネルＰＮＬの長辺の延長方向を第１方向Ｄ１と称し、第１方向Ｄ１の反対方向を第２方向Ｄ２と称し、短辺の延長方向を第３方向Ｄ３と称し、第３方向Ｄ３の反対方向を第４方向Ｄ４と称し、映像が表示される方向を第５方向Ｄ５と称し、第５方向Ｄ５の反対方向を第６方向Ｄ６と称する。
【００２３】
バックライトアセンブリＢＡは表示パネルＰＮＬに光を照射するためのものとして、表示パネルＰＮＬの下部に配置される。バックライトアセンブリＢＡは光を照射する複数の光源ＬＳを含む光源部、光を表示パネルＰＮＬ方向に導く複数の導光板ＬＧＰ、光の効率を高くするための光学シートＯＰＳ、光の進行方向を変更するための反射シートＲＳＴを含む。
【００２４】
図１及び図２を参照すれば、複数の光源ＬＳは第１導光板ＬＧＰ１と第２導光板ＬＧＰ２との間に配置され、表示パネルＰＮＬが映像を表示するために用いる光を導光板ＬＧＰに照射する。複数の光源ＬＳは光源ＬＳを実装する印刷回路基板ＰＣＢと光源部をいう。光源部は平面の上から見るとき、表示パネルＰＮＬの表示領域ＤＳＰ内に位置する。
【００２５】
印刷回路基板ＰＣＢは複数の光源ＬＳをその下部で支持すると同時に複数の光源ＬＳへ電源を供給する。印刷回路基板ＰＣＢはその上部に実装される複数の光源ＬＳの配列方向に沿って一方向に延長された板状で構成される。図２に示したように、複数の光源ＬＳが第３方向Ｄ３に配列された場合、印刷回路基板ＰＣＢは、また第３方向Ｄ３に長く形成される。
【００２６】
本発明の第１実施形態では、光源を含む印刷回路基板ＰＣＢと複数の光源ＬＳとで構成されたことを示したが、これに限定されることではない。即ち、印刷回路基板ＰＣＢは省略してもよく、印刷回路基板ＰＣＢが省略される場合には複数の光源ＬＳを支持する別の支持部材及び／又は複数の光源ＬＳに電源を供給する別の配線が設けられる。
【００２７】
光源ＬＳとしては点光源、線光源、又は面光源等の様々な光源を用いてもよく、これに限定されない。本発明の実施形態では一例として発光ダイオードＬＥＤ（ｌｉｇｈｔ  ｅｍｉｔｔｉｎｇ  ｄｉｏｄｅ）を点光源として用いたことを示した。
【００２８】
複数の光源ＬＳは印刷回路基板ＰＣＢの上に一列に配列されるが、図１及び図２では第３方向Ｄ３に配列されたことが示した。
【００２９】
各光源ＬＳは支持部ＳＳＰと発光素子とを含む。支持部ＳＳＰは前面と背面とを有する板状に具備される。支持部ＳＳＰはエポキシ樹脂やアクリル樹脂のような高分子絶縁材料で構成される。しかし、発光素子を実装できれば、十分であり、これに限定されることではない。発光素子は光を照射する発光ダイオードであり、支持部ＳＳＰの前面に実装される。各光源ＬＳは光が照射される発光面と背面ＲＳとを具備し、各光源ＬＳの発光面は支持部ＳＳＰの前面と実質的に同一な面に位置する。
【００３０】
複数の導光板ＬＧＰは表示パネルＰＮＬの下部及びオーバーラップして配置されて、光を表示パネルＰＮＬ方向へガイドする。各導光板ＬＧＰは平面の上から見るとき、略長方形の板状で構成される。方形の各辺は表示パネルＰＮＬの長辺と短辺との中で、いずれか一辺と平行になる。
【００３１】
複数の導光板ＬＧＰは少なくとも２つ以上用いられるが、本発明の第１実施形態に係る表示装置は２つの導光板ＬＧＰを含む。本発明の他の実施形態に係る表示装置では３つ以上の導光板ＬＧＰを含み、複数の導光板は所定の方向に一列に配列されるか、或いはモザイク形状に配列される。本発明の他の実施形態に係る表示装置が３つ以上の導光板を含む場合、複数の導光板の中で、互いに隣接する２つの導光板の中でいずれか１つを第１導光板ＬＧＰ１と仮定し、他の１つを第２導光板ＬＧＰ２と仮定する。
【００３２】
第１導光板ＬＧＰ１と第２導光板ＬＧＰ２とは複数の光源ＬＳを介して互いに離隔配置される。第１導光板ＬＧＰ１と第２導光板ＬＧＰ２とは互いに同一平面の上に配置され、平面は表示パネルＰＮＬのいずれか一面と平行である。
【００３３】
第１導光板ＬＧＰ１は複数の光源ＬＳからの光が入射する第１入光面ＬＩＳ１と光が出射する第１出光面ＬＯＳ１とを有する。第１導光板ＬＧＰ１において、第１入光面ＬＩＳ１は複数の光源ＬＳと対向する面であり、第１出光面ＬＯＳ１は表示パネルＰＮＬの背面と対向する面である。
【００３４】
第２導光板ＬＧＰ２は光源ＬＳから光が入射する第２入光面ＬＩＳ２と光が出射する第２出光面ＬＯＳ２を有する。第２入光面ＬＩＳ２は複数の光源ＬＳと対向する面であり、第２出光面ＬＯＳ２は表示パネルＰＮＬの背面と対向する面である。ここで、第１入光面ＬＩＳ１と第２入光面ＬＩＳ２とは複数の光源ＬＳを介して互いに対向する。
【００３５】
複数の光源ＬＳから第１入光面ＬＩＳ１を通じて入射された光は第１導光板ＬＧＰ１の内部で複数回の反射と屈折とを経て第１出光面ＬＯＳ１を通じて表示パネルＰＮＬへ照射される。複数の光源ＬＳから第２入光面ＬＩＳ２を通じて入射された光は第２導光板ＬＧＰ２の内部で複数回の反射と屈折とを経て第２出光面ＬＯＳ２を通じて表示パネルＰＮＬへ照射される。
【００３６】
複数の光源ＬＳは第１導光板ＬＧＰ１と第２導光板ＬＧＰ２とに対応して配列される。複数の光源ＬＳは発光面ＬＲＳが第１入光面ＬＩＳ１に向かう複数の第１光源ＬＳ１と、発光面ＬＲＳが第２入光面ＬＩＳ２に向かう複数の第２光源ＬＳ２とを含む。複数の第１光源ＬＳ１は発光面ＬＲＳが第１入光面ＬＩＳ１に第１角度θ１を有するように斜めに配置される。複数の第２光源ＬＳ２は発光面ＬＲＳが第２入光面ＬＩＳ２に第２角度θ２を有するように斜めに配置される。複数の第１光源ＬＳ１と複数の第２光源ＬＳ２とは交互に配置される。
【００３７】
各光源ＬＳは所定の角度の指向角２φを有する。指向角２φは各光源ＬＳにおいて、光量の角度強さ分布（ａｎｇｕｌａｒ  ｉｎｔｅｎｓｉｔｙ  ｄｉｓｔｒｉｂｕｔｉｏｎ）の半値幅（ｆｕｌｌ  ｗｉｄｔｈ  ｈａｌｆ  ｍａｘｉｍｕｍ）に該当する。指向角は発光面の中心を通り、発光面と垂直になる直線を基準に光度（ｉｎｔｅｎｓｉｔｙ  ｏｆ  ｌｉｇｈｔ）が５０％になる角度の２倍に対応される。第１角度θ１と第２角度θ２とは各光源ＬＳの指向角内に該当する光が損失無く導光板に入射されるように調節される。
【００３８】
例えば、本発明の一実施形態において、複数の第１光源ＬＳ１と複数の第２光源ＬＳ２として同一な指向角を有する同一種の光源ＬＳを用いる場合、第１角度θ１と第２角度θ２は一定な値を有する。また、本発明の他の実施形態において、第１角度θ１と第２角度θ２とは指向角の大きさにしたがって異なり、複数の第１光源ＬＳ１と複数の第２光源ＬＳ２との指向角２φが１２０°〜１３０°である発光ダイオードである場合、第１角度θ１は第１入光面ＬＩＳ１を基準にして０°超過＋６５°以下である。これと共に、第２角度θ２は第２入光面ＬＩＳ２を基準にして０°超過＋６５°以下、又は０超過−６５°以下である。本発明の一実施形態によれば、第１角度θ１は第１入光面ＬＩＳ１を基準にして約５０°であり、第２角度θ２は第２入光面ＬＩＳ２を基準にして＋５０°、又は−５０°である。
【００３９】
光学シートＯＰＳは導光板ＬＧＰと表示パネルＰＮＬとの間に配置される。光学シートＯＰＳは光源ＬＳから出射した光を制御する役割を果たす。光学シートＯＰＳは導光板ＬＧＰの上に積層された拡散シートＤＳＴ、プリズムシートＰＳＴ及び保護シートＰＲＳＴを含む。
【００４０】
拡散シートＤＳＴは光を拡散する。プリズムシートＰＳＴは拡散シートＤＳＴで拡散された光を上部の表示パネルＰＮＬの平面と垂直になる方向に集光する役割を果たす。プリズムシートＰＳＴを通過した光は概ね表示パネルＰＮＬへ垂直に入射される。保護シートＰＲＳＴはプリズムシートＰＳＴの上に位置する。保護シートＰＲＳＴはプリズムシートＰＳＴを外部の衝撃から保護する。本実施形態では光学シートＯＰＳが拡散シートＤＳＴ、プリズムシートＰＳＴ、及び保護シートＰＲＳＴが１枚ずつ具備されたことを例としたが、これに限定されることではない。光学シートＯＰＳは拡散のシートＤＳＴ、プリズムシートＰＳＴ、及び保護シートＰＲＳＴの中で、少なくともいずれか１つを複数枚重ねて用いることができ、必要によっていずれか１つ以上のシートを省略してもよい。また、拡散シートＤＳＴ、プリズムシートＰＳＴ、及び保護シートＰＲＳＴは順序を変えて積層してもよい。
【００４１】
反射シートＲＳＴは表示パネルＰＮＬ方向へ出射されずに漏れた光を反射させて表示パネルＰＮＬ方向へ光の経路を変更させるもので、導光板ＬＧＰの下部に配置される。反射シートＲＳＴはボトムシャーシＢＣの上に配置されて光を反射させる。その結果、反射シートＲＳＴによって表示パネルＰＮＬ側へ出射される光の量が増加される。
【００４２】
トップシャーシＴＣは表示パネルＰＮＬの上部に配置される。トップシャーシＴＣは表示パネルＰＮＬの前面縁を支持し、モールドフレーム（図示せず）の側面及び／又はボトムシャーシＢＣの側面をカバーする。トップシャーシＴＣには表示パネルＰＮＬの表示領域ＤＳＰを露出させる表示窓ＷＤが形成される。
【００４３】
ボトムシャーシＢＣはバックライトアセンブリＢＡの下部に配置され、バックライトアセンブリＢＡの構成要素を収納する。ボトムシャーシＢＣは反射シートＲＳＴの下部に配置され、反射シートＲＳＴの背面に平行である底部と、底部から上方に折曲されて延長された側壁部とを含む。底部と側壁部とでなされた空間にバックライトアセンブリＢＡが収納される。
【００４４】
本発明の第１実施形態によれば、暗部が減少された映像を有する表示装置を提供する。ここで、暗部は表示装置の表示領域において、平面の上で光源ＬＳから出射された光が達しないか、或いは相対的に少ない量のみが通過する領域を意味し、この領域では表示パネルＰＮＬを通じて表示される映像が相対的に暗く表れる。
【００４５】
図３Ａは一般的な表示装置における第１導光板ＬＧＰ１及び第２導光板ＬＧＰ２と第１光源ＣＬＳ１及び第２光源ＣＬＳ２との配置にしたがう光分布を示す平面図であり、図３Ｂは図１に示した第１導光板ＬＧＰ１及び第２導光板ＬＧＰ２と第１光源ＬＳ１及び第２光源ＬＳ２との配置にしたがう光分布を示す平面図である。
【００４６】
各第１光源ＬＳ１及び第２光源ＬＳ２において、発光面の中心を通り、発光面に垂直になる直線を基準にして光度が５０％以上を示す角度φが点線に表示された。この時、各第１光源ＬＳ１及び第２光源ＬＳ２の指向角は２φになる。
【００４７】
図３Ａを参照すれば、一般的な表示装置は複数の第１導光板ＬＧＰ１と複数の第２導光板ＬＧＰ２とを含む。複数の第１導光板ＬＧＰ１は第１入光面ＬＩＳ１と第１出光面ＬＯＳ１とを有し、複数の第２導光板ＬＧＰ２は第２入光面ＬＩＳ２と第２出光面ＬＯＳ２とを有する。
【００４８】
複数の第１光源ＣＬＳ１及び第２光源ＣＬＳ２は第１入光面ＬＩＳ１又は第２入光面ＬＩＳ２の延長方向に沿って一列に配置される。ここで、第１入光面ＬＩＳ１と第２入光面ＬＩＳ２とは第３方向Ｄ３に延長されるので、複数の第１光源ＣＬＳ１及び第２光源ＣＬＳ２はまた第３方向Ｄ３に沿って配列される。複数の第１光源ＣＬＳ１は第１入光面ＬＩＳ１に対向し、複数の第２光源ＣＬＳ２は第２入光面ＬＩＳ２に対向する。複数の第１光源ＣＬＳ１と複数の第２光源ＣＬＳ２とは交互に配置される。ここで、第１光源ＣＬＳ１の複数の発光面と第２光源ＬＳ２の複数の発光面とは第１入光面ＬＩＳ１と第２入光面ＬＩＳ２とに各々平行である。したがって、複数の第１光源ＣＬＳ１は第１方向Ｄ１へ光を出射し、複数の第２光源ＣＬＳ２は第２方向Ｄ２へ光を出射する。
【００４９】
図３Ａ及び図３Ｂを参照すれば、一般的な表示装置及び本発明の第１実施形態での表示装置において、複数の第１光源ＣＬＳ１、ＬＳ１と第２光源ＣＬＳ２、ＬＳ２の指向角範囲内の領域、即ち、発光面の中心を通り、発光面と垂直になる直線を基準に角度±φ内の領域では複数の光源ＬＳから出射された光が照射されるので、角度外の領域に比べて光度が高い。しかし、角度外の領域では光が照射されないか、或いは光が照射されても光が低い密度に照射されるので、光度が低く、低い光密度によって複数の暗部ＤＡが発生される。複数の暗部ＤＡは特に互いに隣接する複数の第１光源ＬＳ１の間及び互いに隣接する複数の第２光源ＬＳ２の間で発生されるので、図３Ａ及び図３Ｂでは斜線をつけた領域に表示された部分である。
【００５０】
図３Ａを参照すれば、一般的な表示装置において、複数の暗部ＤＡは第１方向Ｄ１又は第２方向Ｄ２に第１幅Ｄ１を有する。図３Ｂを参照すれば、本発明の第１実施形態に係る表示装置において、複数の暗部ＤＡは第１方向Ｄ１又は第２方向Ｄ２に第２幅Ｗ２を有する。
【００５１】
一般的な表示装置において、第１光源ＣＬＳ１の複数の発光面及び第２光源ＣＬＳ２の複数の発光面は各々第１入光面ＬＩＳ１及び第２入光面ＬＩＳ２と平行になるように配置されるので、各光源ＣＬＳに対して指向角を外れた領域のオーバーラップ部が広く、その幅が大きい。これに比べて、本発明の第１実施形態に係る表示装置において、第１光源ＬＳ１の複数の発光面ＬＲＳと第２光源ＬＳ２の複数の発光面ＬＲＳとは第１入光面ＬＩＳ１及び第２入光面ＬＩＳ２に傾くように配置されるので、各光源ＬＳに対して指向角を外れた領域のオーバーラップ部が狭く、その幅も小さい。これによって、第２幅Ｗ２は第１幅Ｗ１より狭い。
【００５２】
上述したように、本発明の第１実施形態に係る表示装置は暗部ＤＡが減少されて均一な映像を示す。
【００５３】
図４は本発明の第２実施形態に係る表示装置におけるバックライトアセンブリＢＡの一部を示す分解斜視図である。本第２実施形態の説明では第１実施形態と区別される部分のみを抽出して説明し、同様の部分の説明が省略されるか、或いは要約された部分は第１実施形態にしたがう。そして、説明を簡単にするために同一な構成要素に対しては同一な図面番号を付して説明する。
【００５４】
図１及び図４を参照すれば、本発明の第２実施形態に係る表示装置において、バックライトアセンブリＢＡは複数の光源ＬＳを含み、光を出射する光源部、光を表示パネルＰＮＬ方向へ導く複数の導光板ＬＧＰ、複数の導光板ＬＧＰの中で、互いに隣接する２つの導光板ＬＧＰの間に配置されて複数の光源ＬＳを囲む光ガイド部材ＬＧＭ、光の効率を高くするための光学シートＯＰＳ、及び光の進行方向を変更するための反射シートＲＳＴを含む。
【００５５】
図４では光ガイド部材ＬＧＭがバー（ｂａｒ）の形状で複数の光源ＬＳと別個に示したが、その内部に複数の光源ＬＳが配置されて実質的には複数の光源ＬＳを囲む形態で提供される。光ガイド部材ＬＧＭは複数の光源ＬＳ及び第１導光板ＬＧＰ１及び第２導光板ＬＧＰ２に各々密着されて、複数の光源ＬＳから第１導光板ＬＧＰ１及び第２導光板ＬＧＰ２へ光を引導することによって、漏れる光を最小化する効果を有する。
【００５６】
光ガイド部材ＬＧＭは複数の光源ＬＳから発散される熱に変形されない程度の耐熱性を有する高分子樹脂で形成される。光ガイド部材ＬＧＭとして用いる材料としては例えば、シリコン（ｓｉｌｉｃｏｎｅ）、ポリエポキシ、ポリカーボネート、又はポリメチルメタクリラート等がある。
【００５７】
光ガイド部材ＬＧＭは先ず半硬化された状態の高分子樹脂を準備し、半硬化高分子樹脂を光源ＬＳが配置され、互いに隣接する第１導光板ＬＧＰ１及び第２導光板ＬＧＰ２の間の空間に供給し、半硬化高分子樹脂を硬化させることによって形成される。半硬化された高分子樹脂は流動性を有するので、複数の光源ＬＳの間に浸透して最終的には複数の光源ＬＳを囲んだ状態で硬化される。
【００５８】
光ガイド部材ＬＧＭは第１導光板ＬＧＰ１及び第２導光板ＬＧＰ２の屈折率と同一、又は同様の屈折率を有する。光ガイド部材ＬＧＭの屈折率が第１導光板ＬＧＰ１及び第２導光板ＬＧＰ２の屈折率と同一であれば、光ガイド部材ＬＧＭから第１導光板ＬＧＰ１及び第２導光板ＬＧＰ２の複数の入光面へ入射される光量が増加する。界面をなす物質の屈折率差異が小さいほど光の屈折率差異が小さくなるためである。したがって、光ガイド部材ＬＧＭは第１導光板ＬＧＰ１及び第２導光板ＬＧＰ２の屈折率と同一範囲の屈折率を有することができる。
【００５９】
光ガイド部材ＬＧＭの上には光ガイド部材ＬＧＭが連結され、互いに隣接する第１導光板ＬＧＰ１及び第２導光板ＬＧＰ２の複数の出光面の一部とオーバーラップするカバー部ＣＶＭが配置される。カバー部ＣＶＭは板状に設けられ、光源ＬＳの配列方向へ延長される。
【００６０】
カバー部ＣＶＭは互いに対向する第１導光板ＬＧＰ１の一部と第２導光板ＬＧＰ２の一部とを覆う。したがって、第１導光板ＬＧＰ１の出光面の一部と第２導光板ＬＧＰ２の出光面の一部とがカバー部ＣＶＭによってカバーされる。図４ではカバー部ＣＶＭが光ガイド部材ＬＧＭと別個の構成要素として示されたが、本発明の他の実施形態では一体に形成される。即ち、カバー部ＣＶＭは光ガイド部材ＬＧＭを形成するとき、カバー部ＣＶＭと共に単一物質に単一工程で形成される。
【００６１】
カバー部ＣＶＭは複数の導光板ＬＧＰの遊離現状を防止する。複数の導光板ＬＧＰは外部の衝撃によって流動され、複数の光源ＬＳから持続的に供給される熱によっても膨脹される。したがって、複数の導光板ＬＧＰが元の位置を逸脱して遊離できる。カバー部ＣＶＭは第１導光板ＬＧＰ１と第２導光板ＬＧＰ２との間で第１導光板ＬＧＰ１と第２導光板ＬＧＰ２との位置を固定させる。
【００６２】
カバー部ＣＶＭの上にはカバー部ＣＶＭをカバーし、複数の出光面と平行に配置された半透過膜ＨＴＬが形成される。半透過膜ＨＴＬは複数の光源ＬＳから出射された光の一部は透過させ、一部は反射させる。この場合、一部の光が反射されるとき、隔面反射が生じるように半透過膜ＨＴＬは金属膜で構成される。光の反射率や隔面反射の可否等は金属膜の形成の時、金属膜の厚さ、金属の種類等を調節することによって制御される。金属膜は銀、アルミニウム、又はこれらの金属の合金を含む。
【００６３】
第１導光板ＬＧＰ１と第２導光板ＬＧＰ２との間は複数の光源ＬＳの配置によって互いに離隔されるため、複数の光源ＬＳから出射された光が第１導光板ＬＧＰ１と第２導光板ＬＧＰ２とに入射されず直ちに離隔された空間を通じて上部方向に進行する。したがって、表示パネルＰＮＬの２つの導光板ＬＧＰの間に対応する領域に輝線が発生し、その結果、表示パネルＰＮＬの全体的な輝度が不均一になる。半透過膜ＨＴＬは上部方向に進行する光の中で一部を反射させて輝線を防止し、一部を上部方向に透過させることによって暗部ＤＡが形成されることも防止する。
【００６４】
図５は本発明の第３実施形態に係る表示装置の複数の光源ＬＳと複数の導光板ＬＧＰとを示す平面図である。本第３実施形態の説明では図１を参照して第１実施形態と区別される部分のみを抽出して説明し、同様の説明を省略するか、或いは要約された部分は第１実施形態にしたがう。そして、説明を簡単にするために同一な構成要素に対しては同一な図面番号を付して説明する。
【００６５】
図５を参照すれば、本発明の第３実施形態に係る表示装置は第１導光板ＬＧＰ１及び第２導光板ＬＧＰ２を含む。第１導光板ＬＧＰ１と第２導光板ＬＧＰ２は複数の光源ＬＳを介して互いに離隔されて配置される。
【００６６】
複数の光源ＬＳは発光面が第１入光面ＬＩＳ１に向かう複数の第１光源ＬＳ１と、発光面が第２入光面ＬＩＳ２に向かう複数の第２光源ＬＳ２とを含む。
【００６７】
複数の第１光源ＬＳ１は発光面が平面の上で第１入光面ＬＩＳ１の延長方向、即ち、第３方向Ｄ３へ所定の角度を有するように斜めに配置される。複数の第２光源ＬＳ２は発光面が平面の上で第２入光面ＬＩＳ２の延長方向、即ち、第３方向Ｄ３へ所定の角度を有するように斜めに配置される。複数の第１光源ＬＳ１は複数の第１側面に一対一に対応して配列される。
【００６８】
第１光源ＬＳ１と第２光源ＬＳ２は交互に配置され、第１光源ＬＳ１の第１入光面ＬＩＳ１に対する角度と第２光源ＬＳ２の第２入光面ＬＩＳ２とに対する角度とは互いに同一である。
【００６９】
第１導光板ＬＧＰ１及び第２導光板ＬＧＰ２の各々は平面の上から見るとき一対の長辺と一対の短辺とを有する略直方形状で構成される。第１導光板ＬＧＰ１は複数の光源ＬＳからの光が入射する第１入光面ＬＩＳ１、光が出射する第１出光面ＬＯＳ１、及び第１入光面ＬＩＳ１から突出された第１突起ＰＲ１を有する。ここで、第１導光板ＬＧＰ１の第１入光面ＬＩＳ１は平面の上で複数の長辺や複数の短辺の中で光源ＬＳと対向する辺に該当する仮想面である。第２導光板ＬＧＰ２は光源ＬＳから光が入射する第２入光面ＬＩＳ２、光が出射する第２出光面ＬＯＳ２、及び第２入光面ＬＩＳ２から突出された第２を有する。ここで、第２導光板ＬＧＰ２の第２入光面ＬＩＳ２は平面の上で長辺や短辺の中で複数の光源ＬＳと対向する辺に該当する仮想面である。
【００７０】
第１突起ＰＲ１及び第２突起ＰＲ２は単数又は複数個で提供され、以下では一例として複数個の突起が提供されたことを説明する。第１突起ＰＲ１と第２突起ＰＲ２とが複数個で提供されるとき、複数の第１突起ＰＲ１と複数の第２突起ＰＲ２とは第１入光面ＬＩＳ１と第２入光面ＬＩＳ２との横方向、即ち、第３方向Ｄ３に沿って交互に配列される。
【００７１】
各第１突起ＰＲ１は第１入光面ＬＩＳ１に斜めである第１側面ＰＲＳ１と、第１入光面ＬＩＳ１に斜めであり、第１側面ＰＲＳ１と第１入光面ＬＩＳ１とを継ぐ第２側面ＰＲＳ２とで構成される。第１側面ＰＲＳ１が第１入光面ＬＩＳ１となす角度は第２側面ＰＲＳ２が第１入光面ＬＩＳ１となす角度と互いに異なる値を有する。第１側面ＰＲＳ１は各第１光源ＬＳ１の発光面と一対一に対向するように配置され、第１側面ＰＲＳ１と各第１光源ＬＳ１との発光面は互いに平行である。
【００７２】
各第２突起ＰＲ２は第２入光面ＬＩＳ２と斜めである第３側面ＰＲＳ３と、第２入光面ＬＩＳ２と斜めであり、第３側面ＰＲＳ３と第２入光面ＬＩＳ２とを継ぐ第４側面とでなされる。第３側面ＰＲＳ３が第２入光面ＬＩＳ２となす角度は第４側面が第２入光面ＬＩＳ２となす角度と互に異なる値を有する。第３側面ＰＲＳ３は各第２光源ＬＳ２の発光面と一対一に対向するように配置され、第３側面ＰＲＳ３と各第２光源ＬＳ２の発光面は互いに平行である。
【００７３】
ここで、図５では第１〜第４側面ＰＲＳ１、ＰＲＳ２、ＰＲＳ３、ＰＲＳ４と各光源ＬＳが互いに離隔されたことと示したが、実質的には第１〜第４側面と各光源ＬＳとが離隔されず互いに接触される。
【００７４】
上述した構造において、複数の第１光源ＬＳ１の発光面から出射された光は第１側面ＰＲＳ１と垂直に入射し、複数の第２光源ＬＳ２の発光面から出射された光は第３側面ＰＲＳ３と垂直に入射する。したがって、複数の光源ＬＳから出射された光が第１導光板ＬＧＰ１及び第２導光板ＬＧＰ２のいずれか一面に斜めに入射するときに比べて導光板ＬＧＰ内へ入射する光は最大になる。
【００７５】
複数の導光板において、光源の配置と各突起の形状は異なる。
【００７６】
図６は複数の突起の形状を異なって形成した実施形態を示し、本発明の第４実施形態に係る表示装置において複数の光源と複数の導光板とを示す平面図である。第４実施形態の説明では図１及び図５を参照して、第３実施形態と区別される部分のみを抽出して説明し、同様の部分の説明が省略されるか、或いは要約された部分は第１実施形態にしたがう。そして、説明を簡単にするために同一な構成要素に対しては同一な図面番号を付して説明する。
【００７７】
図６を参照すれば、本発明の第４実施形態に係る表示装置は第１導光板ＬＧＰ１と第２導光板ＬＧＰ２を含む。第１導光板ＬＧＰ１と第２導光板ＬＧＰ２は光源部を介して互いに離隔して配置される。
【００７８】
複数の光源ＬＳは発光面が第１入光面ＬＩＳ１に向かう複数の第１光源ＬＳ１と発光面が第２入光面ＬＩＳ２に向かう複数の第２光源ＬＳ２を含む。
【００７９】
複数の第１光源ＬＳ１は発光面が平面の上で第１入光面ＬＩＳ１の延長方向、即ち、第３方向Ｄ３へ所定の角度を有するように斜めに配置される。複数の第２光源ＬＳ２は発光面が平面の上で第２入光面ＬＩＳ２の延長方向、即ち、第３方向Ｄ３へ所定の角度を有するように斜めに配置される。複数の第１光源ＬＳ１と第２光源ＬＳ２とは交互に配置され、複数の第１光源ＬＳ１の第１入光面ＬＩＳ１に対する角度と複数の第２光源ＬＳ２の第２入光面ＬＩＳ２に対する角度とは互いに異なる。したがって、複数の第１光源ＬＳ１と複数の第２光源ＬＳ２とは平面の上でジグザグ形状に配列される。
【００８０】
第１導光板ＬＧＰ１と及び第２導光板ＬＧＰ２との各々は平面の上から見るとき一対の長辺と一対の短辺を有する略直方形状を有する。第１導光板ＬＧＰ１は複数の光源ＬＳからの光が入射する第１入光面ＬＩＳ１、光が出射する第１出光面ＬＯＳ１、及び第１入光面ＬＩＳ１から突出された第１突起ＰＲ１を有する。ここで、第１導光板ＬＧＰ１の第１入光面ＬＩＳ１は平面の上で長辺や短辺の中で複数の光源ＬＳと対向する辺に該当する仮想面である。第２導光板ＬＧＰ２は複数の光源ＬＳから光が入射する第２入光面ＬＩＳ２、光が出射する第２出光面ＬＯＳ２、及び第２入光面ＬＩＳ２から突出された第２突起ＰＲ２を有する。ここで、第２導光板ＬＧＰ２の第２入光面ＬＩＳ２は平面の上で長辺や短辺の中で光源ＬＳと対向する辺に該当する仮想面である。
【００８１】
第１突起ＰＲ１及び第２突起ＰＲ２は単数又は複数個で提供され、以下では一例として複数個の突起が提供されたことについて説明する。第１突起ＰＲ１と第２突起ＰＲ２とが複数個で提供される場合、複数の第１突起ＰＲ１と複数の第２突起ＰＲ２とは第１入光面ＬＩＳ１と第２入光面ＬＩＳ２との横方向、即ち、第３方向Ｄ３に沿って交互に配列される。
【００８２】
各第１突起ＰＲ１は第１入光面ＬＩＳ１と斜めである第１側面ＰＲＳ１と、第１入光面ＬＩＳ１と斜めであり、第１側面ＰＲＳ１と第１入光面ＬＩＳ１とを継ぐ第２側面ＰＲＳ２とでなされる。第１側面ＰＲＳ１と第１入光面ＬＩＳ１とがなす角度と第２側面ＰＲＳ２と第１入光面ＬＩＳ１とがなす角度とは互いに同一である。第１側面ＰＲＳ１及び第２側面ＰＲＳ２は各第１光源ＬＳ１の複数の発光面と一対一に対向するように配置され、第１側面ＰＲＳ１及び第２側面ＰＲＳ２と各第１光源ＬＳ１の発光面とは互いに平行である。
【００８３】
各第２突起ＰＲ２は第２入光面ＬＩＳ２と斜めである第３側面ＰＲＳ３と、第２入光面ＬＩＳ２と斜めであり、第３側面ＰＲＳ３と第２入光面ＬＩＳ２とを継ぐ第４側面とでなされる。第３側面ＰＲＳ３と第２入光面ＬＩＳ２がなす角度と第４側面と第２入光面ＬＩＳ２がなす角度は互いに同一である。第３側面ＰＲＳ３及び第４側面は各第２光源ＬＳ２の発光面と一対一に対向するように配置され、第３側面ＰＲＳ３及び第４側面と各第２光源ＬＳ２の発光面は互いに平行である。
【００８４】
図７は突起の形状を異なって形成したその他の実施形態を示し、本発明の第５実施形態に係る表示装置において複数の光源ＬＳと複数の導光板ＬＧＰとを示す平面図である。第５実施形態の説明では第３実施形態と区別される部分のみを抽出して説明し、同様の部分の説明が省略されるか、或いは要約された部分は第３実施形態にしたがう。そして、説明を簡単にするために同一な構成要素に対しては同一な図面番号を付して説明する。
【００８５】
図７を参照すれば、本発明の第５実施形態に係る表示装置は第１導光板ＬＧＰ１と第２導光板ＬＧＰ２とを含む。第１導光板ＬＧＰ１と第２導光板ＬＧＰ２とは光源部を介して互いに離隔配置される。
【００８６】
第１導光板ＬＧＰ１と及び第２導光板ＬＧＰ２との各々は平面の上から見るとき、一対の長辺と一対の短辺を有する略直方形状で提供される。第１導光板ＬＧＰ１は複数の光源ＬＳからの光が入射する第１入光面ＬＩＳ１、光が出射する第１出光面ＬＯＳ１、及び第１入光面ＬＩＳ１から突出された第１突起ＰＲ１を有する。ここで、第１導光板ＬＧＰ１の第１入光面ＬＩＳ１は平面の上で長辺や短辺の中で光源ＬＳと対向する辺に該当する仮想面である。第２導光板ＬＧＰ２は光源ＬＳから光が入射する第２入光面ＬＩＳ２、光が出射する第２出光面ＬＯＳ２、及び第２入光面ＬＩＳ２から突出された第２突起ＰＲ２を有する。ここで、第２導光板ＬＧＰ２の第２入光面ＬＩＳ２は平面の上で長辺や短辺の中で複数の光源ＬＳと対向する辺に該当する仮想面である。
【００８７】
第１突起ＰＲ１及び第２突起ＰＲ２は単数又は複数個で提供され、以下では一例として複数個の突起が提供されたことについて説明する。第１突起ＰＲ１と第２突起ＰＲ２とが複数個で提供される場合、複数の第１突起ＰＲ１と複数の第２突起ＰＲ２とは第１入光面ＬＩＳ１と第２入光面ＬＩＳ２の横方向、即ち、第３方向Ｄ３に沿って交互に配列される。
【００８８】
複数の第１突起ＰＲ１は第１入光面ＬＩＳ１に平行な複数の第１上面ＵＳ１を有し、複数の第２突起ＰＲ２は第２入光面ＬＩＳ２に平行な複数の第２上面ＵＳ２を有する。
【００８９】
複数の光源ＬＳは発光面が第１入光面ＬＩＳ１に向かう複数の第１光源ＬＳ１と発光面が第２入光面ＬＩＳ２に向かう複数の第２光源ＬＳ２でなされる。複数の第１光源ＬＳ１の複数の発光面は複数の第１上面ＵＳ１に一対一に対向し、複数の第２光源ＬＳ２の発光面は複数の第２上面ＵＳ２に一対一に対向する。ここで、複数の第１光源ＬＳ１は複数の第１上面ＵＳ１に平行に第３方向Ｄ３に沿って配列され、複数の第２光源ＬＳ２は複数の第２上面ＵＳ２に平行に前記第３方向Ｄ３に沿って配列されるが、複数の第１光源ＬＳ１と複数の第２光源ＬＳ２が同一線の上に配列されない。
【００９０】
上述したように、第３実施形態〜第５実施形態において、複数の第１突起と複数の第２突起とは複数の光源と第１入光面及び第２入光面の間の空間を満たすことと同時に複数の第１光源の間で暗部が発生できる領域に複数の第２光源を配置し、複数の第２光源の間で暗部が発生できる複数の領域に第１光源を配置することによって暗部を最小化する。
【００９１】
図８は本発明の第６実施形態に係る表示装置においての複数の光源と複数の導光板とを示す平面図である。第６実施形態の説明では図１を参照して第１実施形態と区別される部分のみを抽出して説明し、同様の部分の説明が省略されるか、或いは要約された部分は第１実施形態にしたがう。
【００９２】
本発明の第６実施形態によれば、表示装置は複数個の導光板を含む。複数の導光板は第１乃至第４導光板ＬＧＰ１、ＬＧＰ２、ＬＧＰ３、ＬＧＰ４でなされる。第１〜第４導光板ＬＧＰ１、ＬＧＰ２、ＬＧＰ３、ＬＧＰ４は図８に示したように、少なくともいずれか１つの導光板が残りの導光板と互いに他の大きさを有するように形成できるが、互いに同一な大きさにも形成できる。第１〜第４導光板ＬＧＰ１、ＬＧＰ２、ＬＧＰ３、ＬＧＰ４は平面の上で略長方形状を有し、特定方向に長辺と短辺とを有するように提供される。また、第１〜第４導光板ＬＧＰ１、ＬＧＰ２、ＬＧＰ３、ＬＧＰ４は様々な順序に配置される。本発明の第６実施形態では第１〜第４導光板ＬＧＰ１、ＬＧＰ２、ＬＧＰ３、ＬＧＰ４が第１方向Ｄ１に長辺を有し、第３方向Ｄ３へ配列される。
【００９３】
互いに隣接する複数の導光板ＬＧＰの間には複数の導光板ＬＧＰの延長方向と斜めである発光面を有するように複数の光源ＬＳが配置される。
【００９４】
第１〜第４導光板ＬＧＰ１、ＬＧＰ２、ＬＧＰ３、ＬＧＰ４は第３方向Ｄ３と、第３方向Ｄ３と垂直になる第１方向Ｄ１へ配列された２次元の複数の発光ブロックＢＬＫで区分される。複数の発光ブロックＢＬＫは複数の光源ＬＳのターンオン／ターンオフによって光が照射されるか、或いは照射されない最小単位領域で複数の光源ＬＳに各々対応する。即ち、複数の発光ブロックＢＬＫは複数の光源ＬＳに一対一に対応して独立的に駆動される。又は複数の光源ＬＳは複数のグループに分かれ、発光ブロックＢＬＫがグループと一対一に対応して独立的にも駆動できる。複数の発光ブロックが２次元的に配列されると同時に複数の発光ブロックＢＬＫが独立的に駆動されることによって表示装置の２次元ローカル調光の実現が容易である。その結果、複数の光源ＬＳのターンオン／ターンオフによる黒と白との色分離が容易になり、複数の光源ＬＳの消費電力と発熱とが減少する効果がある。
【００９５】
上述した実施形態によれば、暗部を形成せず、表示パネルの全面に均一に光が照射されて輝度の均一性が高くなる表示装置が提供される。
【００９６】
表示パネルの非表示領域には複数の光源が配置されないため、非表示領域の面積が最小化される。本発明の実施形態によれば、表示領域に全て光源が配置されるので、表示パネルの全面に対して均一な温度が供給されることによって液晶の反応速度を均一に維持する。
【００９７】
これに加えて、表示パネルにおいての各画素に印加される駆動信号にしたがって、複数の光源をターンオンするか、或いはターンオフすることによって、一方向へのスキャンが可能である。この時、駆動信号が印加されない部分に対応する光源はターンオフに維持することによって、駆動信号が印加されない領域の残像を無くすことによってクロストーク欠陥を減少させる。
【００９８】
以上、本発明の望ましい実施形態を図面を参照して説明したが、該当技術分野の熟練された当業者又は該当技術分野に通常の知識を有する者であれば、後術する特許請求の範囲に記載された本発明の思想及び技術領域から逸脱しない範囲内で本発明を多様に修正及び変形できることは理解できる．
【００９９】
したがって、本発明の技術的範囲は明細書の詳細な説明に記載された内容に限定されることでなく特許請求の範囲によって定まれるべきである。
【符号の説明】
【０１００】
ＢＣ…ボトムシャーシ、ＤＡ…暗部、ＤＳＰ…表示領域、ＬＧＰ…導光板、ＬＩＳ…入光面、ＬＯＳ…出光面、ＬＳ…光源、ＮＤＳＰ…非表示領域、ＯＰＳ…光学シート、ＰＣＢ…印刷回路基板、ＰＮＬ…表示パネル、ＲＳＴ…反射板、ＴＣ…トップシャーシ。
【図１】
0005866091.tif 000002
【図２】
0005866091.tif 000003
【図３Ａ】
0005866091.tif 000004
【図３Ｂ】
0005866091.tif 000005
【図４】
0005866091.tif 000006
【図５】
0005866091.tif 000007
【図６】
0005866091.tif 000008
【図７】
0005866091.tif 000009
【図８】
0005866091.tif 000010